(57)【要約】【課題】メンテナンスし易いバックライトモジュール構造を提供すること。【解決手段】本考案によるバックライトモジュール構造は、板体と少なくとも一つの発光ダイオードモジュールとを含み、前記板体上に発光ダイオードモジュールの数量に応じる位置決め部が予め設置され、前記発光ダイオードモジュール上に複数の発光ダイオードが設けられ、前記発光ダイオードモジュール毎の周縁に少なくとも一つの結合部が設けられることによって、該発光ダイオードモジュールが、後から前記板体上の位置決め部により位置決めされながら結合しやすくなる。【選択図】図１
0003128244.tif 000002
【実用新案登録請求の範囲】
【請求項１】
板体と少なくとも一つの発光ダイオードモジュールとを含み、
前記板体上に前記発光ダイオードモジュールの数量に応じる位置決め部が予め設置され、
前記発光ダイオードモジュール上に複数の発光ダイオードが設けられ、
前記発光ダイオードモジュール毎の周縁に少なくとも一つの結合部が設けられることによって、該発光ダイオードモジュールが、後から前記板体上の位置決め部により位置決めされながら結合しやすくなり、取外しやメンテナンス及び補修がしやすくなることを特徴とする、
バックライトモジュール構造。
【請求項２】
前記板体上に設けられた位置決め部が貫通孔で、且つ、該貫通孔の対向側にそれぞれ結合穴が設けられ、前記発光ダイオードモジュールは、回路基板と複数の発光ダイオードからなり、該回路基板の結合部は凸耳に設けられ、該凸耳には結合穴が設けられ、ネジで各凸耳の結合穴に対応して貫通させて板体に締め付けられることを特徴とする、請求項１に記載のバックライトモジュール構造。
【請求項３】
前記板体上に設けられた位置決め部が貫通孔で、且つ、該貫通孔の対向側にそれぞれ結合穴が設けられ、前記発光ダイオードモジュールは、回路基板と複数の発光ダイオードからなり、該回路基板の結合部は凸耳に設けられ、該凸耳にはほぞ穴が設けられ、ほぞで各凸耳のほぞ穴に対応して貫通させ板体にほぞ継ぎされることを特徴とする、請求項１に記載のバックライトモジュール構造。
【考案の詳細な説明】
【技術分野】
【０００１】
本考案は、補修やメンテナンスが便利なバックライトモジュール構造に係り、フラットパネルディスプレイ、液晶ディスプレイ又は類似構造に適合するものである。
【背景技術】
【０００２】
液晶ディスプレイ（ＬＣＤ）技術は、従来からノートパソコン、携帯電話、デジタルカメラ、ＰＤＡなどの携帯式の電子製品に適応されている。これらのコンパクトな携帯式製品を除き、近年では、大型な液晶パネルの製造技術も日々に連れ熟練されている。液晶パネル（ＬＣＤ  Ｐａｎｅｌ）は、この領域内において最も大事な表示素子であるが、その自体が発光しないため、バックライト光源の設置により表示できるようになる。
【考案の開示】
【考案が解決しようとする課題】
【０００３】
現在、液晶パネルのバックライト光源として、大型な液晶ディスプレイにおいて直下型バックライトモジュールが良く使われ、図５に示すように、従来のバックライトモジュールは、複数のランプＡを底板Ｂの上方に平均的に整列され、底板Ｂの上表面には通常に反射シートＣが設けられ、ランプＡが発射する光線を上方向に反射させ、光線拡散シートＤを経ってからバックライトモジュール上方の液晶パネルＥに供給される。光線拡散シートＤが通過した光線を散乱させることができ、使用者が液晶パネルＥを見る時、ランプＡの比較的に強い輝度でランプＡの形状が直接に見られ、輝度むらのような感覚を発生することが避けられる。バックライトモジュールは、さらに、これらのランプＡを底板Ｂの上方の予定高さの位置に固定するように、複数のランプホルダＢ１を含み、従ってバックライトモジュール全体の光出射効果がより良くなり、且つ放熱も便利になる。
【０００４】
しかしながら、液晶パネルＥがある時間に使用された後に、ランプ損壊または製品寿命終了で正常発光しないと、ランプＡを換えようとする過程では、取外し難い問題を遭ってしまい、ランプＡ上方の液晶パネルＥと他の各層のシートを移動する必要があり、非常に面倒であることは、その最も主要な欠点である。
【０００５】
これを鑑み、本考案の創作者は、メンテナンスし易いバックライトモジュール構造の提供を期し、専念な観察かつ研究をし、さらに学術理論の運用に合せ、合理的に設計且つ組み立てし消費者に提供することは、本考案が創作しようとする動機である。
【課題を解決するための手段】
【０００６】
本考案の主な目的は、補修やメンテナンスが便利なバックライトモジュールの改良構造を提供する。
【０００７】
前記目的を達成するために、本考案は、主に、板体と少なくとも一つの発光ダイオードモジュールとを含み、前記板体上に発光ダイオードモジュールの数量に応じる係止部材が予め設置され、前記発光ダイオードモジュール上に複数の発光ダイオードが設けられ、前記発光ダイオードモジュールの周縁に、発光ダイオードモジュールが後から板体位置決め部により位置決め結合され易くなるように、少なくとも一つの対応の係止部材が設けられることによって、取外しやメンテナンス及び補修がし易くなる。
【０００８】
すなわち、本願の第１考案は、板体と少なくとも一つの発光ダイオードモジュールとを含み、前記板体上に前記発光ダイオードモジュールの数量に応じる位置決め部が予め設置され、前記発光ダイオードモジュール上に複数の発光ダイオードが設けられ、前記発光ダイオードモジュール毎の周縁に少なくとも一つの結合部が設けられることによって、該発光ダイオードモジュールが、後から前記板体上の位置決め部により位置決めされながら結合しやすくなり、取外しやメンテナンス及び補修がしやすくなることを特徴とする、バックライトモジュール構造であることを要旨としている。
【０００９】
また、本願の第２考案は、前記板体上に設けられた位置決め部が貫通孔で、且つ、該貫通孔の対向側にそれぞれ結合穴が設けられ、前記発光ダイオードモジュールは、回路基板と複数の発光ダイオードからなり、該回路基板の結合部は凸耳に設けられ、該凸耳には結合穴が設けられ、ネジで各凸耳の結合穴に対応して貫通させて板体に締め付けられることを特徴とする、本願の第１考案に記載のバックライトモジュール構造であることを要旨としている。
【００１０】
また、本願の第３考案は、前記板体上に設けられた位置決め部が貫通孔で、且つ、該貫通孔の対向側にそれぞれ結合穴が設けられ、前記発光ダイオードモジュールは、回路基板と複数の発光ダイオードからなり、該回路基板の結合部は凸耳に設けられ、該凸耳にはほぞ穴が設けられ、ほぞで各凸耳のほぞ穴に対応して貫通させ板体にほぞ継ぎされることを特徴とする、本願の第１考案に記載のバックライトモジュール構造であることを要旨としている。
【考案の効果】
【００１１】
本考案によれば、補修やメンテナンスが便利なバックライトモジュール構造を供給することができる。
【考案を実施するための最良の形態】
【００１２】
本考案の他の特徴及び具体的な実施例は、後続の詳しく説明及び図示よりさらに了解できる。
【実施例】
【００１３】
図１、図２を参照すると、本考案のバックライトモジュールは、板体１と少なくとも一つの発光ダイオードモジュール２とを含み、該板体１上に発光ダイオードモジュールの数量に応じる貫通孔１１が予め設置され、且つ、貫通孔１１毎の対向側には結合穴１１１がそれぞれ設けられる。
【００１４】
少なくとも一つの発光ダイオードモジュール２は、回路基板２１と複数の発光ダイオード２２からなり、該回路基板２１には所要な回路が設けられ、回路基板２１の対向側には凸耳２３がそれぞれ突設され、該凸耳２３には結合穴２３１が設けられ、本実施例の回路基板２１は、九宮格（３×３の９個の囲い）状に配列された９個の発光ダイオード２２が設けられる。
【００１５】
図３を参照すると、発光ダイオードモジュール２の発光ダイオード２２が設けられた側を該板体１の貫通孔１１内に置き込み、二つの結合部材２４を介して発光ダイオードモジュール２の凸耳２３中の結合穴２３１を貫通孔１１の傍側の結合穴１１１にアライメント結合させ、且つ、同じ数量の発光ダイオードモジュール２を板体１の貫通孔１１内に順次に結合させ、本考案の装着作業を完了する。
【００１６】
また、これらの発光ダイオードモジュール２の凸耳２３中の結合穴２３１は、ほぞ穴に替えて設けてもよく、ほぞを介して発光ダイオードモジュール２を該板体１に結合させる。
【００１７】
使用する際、表示パネルと、拡散シートと、導光板（Ｌｉｇｈｔ  Ｇｕｉｄｅ  Ｐｌａｔｅ）と、本考案の光源とを重ね合い、また、底部ケース１１２で嵌め合い、図４に示すように、該光源は本考案の複数の発光ダイオードモジュール２が結合された板体１からなり、光源の上方には導光板および拡散シートが設けられ、また、該拡散シートの上方にはさらに表示パネルが設けられる。
全ディスプレイがある時間に使用された後に、板体１上のある発光ダイオードモジュール２が損壊され正常に発光しない時、底部ケース１１２のみを取り外し、さらに該損壊された発光ダイオードモジュール２の対向側に結合した結合部材２４を取り外し、損壊された発光ダイオードモジュール２を取り除き、新しい発光ダイオードモジュール２を後から貫通孔１１を通過して板体１に結合させ、さらに、底部ケース１１２を表示パネルの裏側に結合し、よって該ディスプレイが正常に回復できる。
【００１８】
前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００１９】
【図１】本考案による実施例の斜視外観図である。
【図２】本考案による実施例の素子分解図である。
【図３】本考案による実施例の組合断面図である。
【図４】本考案の使用状態を示す図である。
【図５】従来の直下型バックライトモジュールの素子分解図である。
【符号の説明】
【００２０】
１      板体
１１    貫通孔
１１１  結合穴
１１２  底部ケース
２      発光ダイオードモジュール
２１    回路基板
２２    発光ダイオード
２３    凸耳
２３１  結合穴
２４    結合部材
Ａ      ランプ
Ｂ      底板
Ｃ      反射シート
Ｄ      光線拡散シート
Ｅ      液晶パネル
Ｂ１    ランプホルダ
【図１】
0003128244.tif 000003
【図２】
0003128244.tif 000004
【図３】
0003128244.tif 000005
【図４】
0003128244.tif 000006
【図５】
0003128244.tif 000007